(57)【要約】【課題】水和物スラリの融解を防止すると共に、水和物スラリの円滑な払い出しを可能とする液と水和物スラリの貯蔵方法及び液と水和物スラリの貯蔵タンクを得る。【解決手段】液１０２を貯蔵する液タンク１と水和物スラリ１０５を貯蔵するスラリタンク３を別々に設け、液タンク１に液受入ロ１９および払出口２１を、スラリタンク３にスラリ受入口２３および払出口２５をそれぞれ設けたものである。よって、液１０２と水和物スラリ１０５の接触が防止でき水和物スラリ１０５の液１０２による融解を防止できる。また、両者が同一のタンク内にある場合のように粘度の違いによる水道の形成による水和物スラリの払い出しが困難になるという問題も生じない。【選択図】図１
2007051867.tif 000002
【特許請求の範囲】
【請求項１】
水和物を生成し得る液から製造された水和物スラリが貯蔵されたスラリタンクから当該水和物スラリを払出す際に水道の発生を防止する、水和物スラリの水道発生防止方法であって、前記スラリタンクとは別のタンクに前記液を貯蔵することを特徴とする水和物スラリの水道発生防止方法。
【請求項２】
第１タンク及び第２タンクを備える貯蔵タンクに貯蔵されている水和物スラリを生成し得る液及び該液から生成された水和物スラリのうち、前記水和物スラリを前記貯蔵タンクから払出す際に水道の発生を防止する、水和物スラリの水道発生防止方法であって、
前記液及び前記水和物スラリをそれぞれ前記第１タンク及び前記第２タンクに貯蔵するとともに、前記第１タンク及び前記第２タンクを隣接して配置する、又は前記第１タンク内に前記第２タンクを設置することを特徴とする水和物スラリの水道発生防止方法。
【請求項３】
水和物を生成し得る液から生成された水和物スラリが貯蔵されたスラリタンクから前記水和物スラリを払い出す、水和物スラリの払出し方法であって、
前記スラリタンクとは別のタンクに前記液を貯蔵することを特徴とする水和物スラリの払出し方法。
【請求項４】
水和物を生成し得る液及び該液から生成された水和物スラリをそれぞれ貯蔵する貯蔵タンクであって、
該貯蔵タンクが第１タンク及び第２タンクを備え、
前記第１タンクと前記第２タンクとが隣接している、又は前記第１タンク内に前記第２タンクが設置されているとともに、
前記第２タンクの上方又は下方に、前記水和物スラリの払出しを可能にするスラリ払出口が備えられていることを特徴とする貯蔵タンク。
【発明の詳細な説明】
【技術分野】
【０００１】
本発明は、水和物スラリの水道発生防止方法および水和物スラリの払出し方法、並びに貯蔵タンクに関する。
【背景技術】
【０００２】
ビル空調や地域冷暖房において、氷スラリや水和物スラリ、冷水等の冷熱媒体を夜間に製造してタンクに貯蔵しておき、昼間に貯蔵タンクから取出して冷熱源として使用する方法が提案されている。
図２６は従来の方法のうち冷熱媒体として水和物スラリを用いた冷熱媒体循環系の説明図である。水和物スラリを用いたものにおいては、図２６に示すように、夜間にタンク１０１内の液１０２をポンプ１０３によってスラリ製造器１０４に移送して水和物スラリを製造し、製造された水和物スラリを再びタンク１０１に戻してタンク１０１内に蓄積する。
一方、昼間にはタンク１０１内の水和物スラリ１０５をポンプ１０６によって空調器１０７に移送する。空調器１０７に移送された水和物スラリ１０５は空気などの媒体と熱交換されて液となり、再びタンク１０１へ戻る。
【０００３】
ここで、水和物スラリとは、例えば特開平１１−２６４６８１号公報に示された包接水和物のことであり、水分子（ホスト分子）で構成された籠状の包接格子内に以下のようなゲスト分子が包み込まれて結晶化する化合物をいう。ゲスト分子として、テトラｎ−ブチルアンモニウム塩、テトラｉｓｏ−アルミアンモニウム塩、テトラｎ−フォスフォニウム塩、トリｉｓｏ−アルミサルフォニウム塩の例として、テトラｎ−ブチルアンモニウム塩としてフッ化テトラｎ−ブチルアンモニウム（ｎ−Ｃ4Ｈ9）4ＮＦ），塩化テトラｎ−ブチルアンモニウム（（ｎ−Ｃ4Ｈ9）4ＮＣｌ），臭化テトラｎ−ブチルアンモニウム（（ｎ−Ｃ4Ｈ9）4ＮＢｒ）などがある。
【０００４】
そして、このような水和物スラリは、熱交換効率が高いので、熱交換器をコンパクトにでき、さらにコストも安いという利点がある。
【発明の開示】
【発明が解決しようとする課題】
【０００５】
しかしながら、図２６に示した従来例においては、液１０２と水和物スラリ１０５を同一のタンク１０１内に貯蔵しているため、液１０２と水和物スラリ１０５が直接接触し、容易に熱交換して水和物スラリが融解する。その結果、蓄冷媒体である水和物スラリ１０５の量が減少するという問題があった。
【０００６】
また、液１０２と水和物スラリ１０５が混在するタンク１０１から水和物スラリ１０５を払出す際、水和物スラリ１０５の粘度が液１０２と大きく異なる場合には流動性の良い液１０２のみが払出される傾向がある。すなわち、図２７に示すように、水和物スラリ１０５内にスラリ払い出し用の配管１０９を挿入して水和物スラリ１０５を払い出そうとした際に、スラリ層内に水道１１１が形成されて液１０２のみが払い出され、水和物スラリ１０５をタンク１０１から払出せないという問題があった。
【０００７】
本発明は係る問題点を解決するためになされたものであり、水和物スラリの融解を防止すると共に、水和物スラリの円滑な払い出しを可能とする、水和物スラリの水道発生防止方法および水和物スラリの払出し方法、並びに貯蔵タンクを得ることを目的としている。
【課題を解決するための手段】
【０００８】
（１）本発明に係る水和物スラリの水道発生防止方法は、水和物を生成し得る液から製造された水和物スラリが貯蔵されたスラリタンクから当該水和物スラリを払出す際に水道の発生を防止する、水和物スラリの水道発生防止方法であって、
前記スラリタンクとは別のタンクに前記液を貯蔵することを特徴とする。
【０００９】
（２）本発明に係る水和物スラリの水道発生防止方法は、第１タンク及び第２タンクを備える貯蔵タンクに貯蔵されている水和物スラリを生成し得る液及び該液から生成された水和物スラリのうち、前記水和物スラリを前記貯蔵タンクから払出す際に水道の発生を防止する、水和物スラリの水道発生防止方法であって、
前記液及び前記水和物スラリをそれぞれ前記第１タンク及び前記第２タンクに貯蔵するとともに、前記第１タンク及び前記第２タンクを隣接して配置する、又は前記第１タンク内に前記第２タンクを設置することを特徴とする。
【００１０】
（３）本発明に係る水和物スラリの払出し方法は、水和物を生成し得る液から生成された水和物スラリが貯蔵されたスラリタンクから前記水和物スラリを払い出す、水和物スラリの払出し方法であって、
前記スラリタンクとは別のタンクに前記液を貯蔵することを特徴とする。
【００１１】
（４）本発明に係る貯蔵タンクは、水和物を生成し得る液及び該液から生成された水和物スラリをそれぞれ貯蔵する貯蔵タンクであって、
該貯蔵タンクが第１タンク及び第２タンクを備え、
前記第１タンクと前記第２タンクとが隣接している、又は前記第１タンク内に前記第２タンクが設置されているとともに、
前記第２タンクの上方又は下方に、前記水和物スラリの払出しを可能にするスラリ払出口が備えられていることを特徴とする。
【発明の効果】
【００１２】
本発明においては、液と水和物スラリをそれぞれ別のタンクに貯蔵し、あるいは貯蔵タンクが第１タンク及び第２タンクを備え、各タンクに別々に貯蔵するようにしたので、液と水和物スラリが接触することがなく水和物スラリの融解が防止でき、また、液と水和物スラリの粘度の違いに起因する水路の形成を防止して水和物スラリの円滑な払い出しを実現する。
【発明を実施するための最良の形態】
【００１３】
実施の形態１．
図１は本発明の実施の形態１の説明図であり、従来例を示した図２６と同一部分又は相当する部分には同一の符号を付している。
この実施の形態１においては、図１に示すように、液１０２を貯蔵する液タンク１と水和物スラリ１０５を貯蔵するスラリタンク３を別々に設け、液タンク１に液受入ロ１９および払出口２１を、スラリタンク３にスラリ受入口２３および払出口２５をそれぞれ設けたものである。
このように、液タンク１とスラリタンク３を別々に設けることにより、液１０２と水和物スラリ１０５の接触が防止でき水和物スラリ１０５の液１０２による融解を防止できる。また、液１０２と水和物スラリ１０５をそれぞれ別タンクに貯蔵するので、両者が同一のタンク内にある場合のように粘度の違いによる水道の形成による水和物スラリの払い出しが困難になるという問題も生じない。
【００１４】
実施の形態２．
図２は本発明の実施の形態２の説明図である。実施の形態２においては、液タンクとスラリタンクを別々に設けるのではなく、１つのタンク５の内部に隔壁（又は隔膜）７を設けることによりタンク５の内部を分割し、分割されたタンク内領域ＡＢのそれぞれに液１０２または水和物スラリ１０５の受入口１９，２３および払出口２１，２５をそれぞれ設けたものである。
【００１５】
隔壁（又は隔膜）７を断熱性の高い材質にすることにより、隔壁（又は隔膜）７の近傍における液１０２と水和物スラリ１０５の熱交換を低減することができ、蓄熱槽効率の低下を抑制することができる。この点は、隔壁又は隔膜あるいは分離板を設ける以下の実施の形態において共通である。
【００１６】
実施の形態３．
図３は本発明の実施の形態３の説明図である。実施の形態３においては、タンク５内にタンク内を左右に分割すると共にタンク内壁に沿って左右に移動できる可動式分離板９を設けたものである。そして、可動式分離板９の周縁部にフレキシブルなシール部材１１を設け、可動式分離板９とタンク内壁との間をシールしている。さらに、可動式分離板９の移動をスムーズにするために、可動式分離板９をガイドするガイドロッド１３をタンク内に設けている。
【００１７】
可動式分離板９及びシール部材１１に断熱性の高い材質を選定することで、水和物スラリ１０５と液１０２の熱交換を低減することができ、水和物スラリ１０５の融解を抑制することができる。
また、可動式分離板９とシール部材１１に不透水性の材質を選定することで、液領域から水和物スラリ領域への水道の形成を防止することができ、上記実施の形態２と同様に、水和物スラリ層内からの水和物スラリ払出が容易となる。
【００１８】
なお、シール部材１１はタンク内壁と可動式分離板９の隙間をシールして、領域ＡＢ間の液・水和物スラリ通過を遮断する目的で設けているが、領域ＡＢ間の液・水和物スラリ通過量が微小であり、水和物スラリの受入・払出サイクルが２４時間程度であれば、水和物スラリ払出時に水道が形成されないため、領域ＡＢ間の液・水和物スラリ通過量を完全にゼロにする必要はなく、また、水和物スラリの状態（粘度）によってはシール部材は不要となる。この点は、同様の構成を有する以下の実施の形態においても同様である。
【００１９】
本実施の形態においては、タンク内を移動できる可動式分離板９を設けることにより、液１０２と水和物スラリ１０５の量に応じてタンク内の容積を調整でき、タンクの容積を有効に活用することができる。
【００２０】
実施の形態４．
図４は本発明の実施の形態４の説明図である。実施の形態４においては、図４に示すように、タンク５内にタンク内を上下に分割すると共にタンク内壁に沿って上下に移動できる可動式分離板１５を設けたものである。可動式分離板１５の周縁部にはフレキシブルなシール部材１７を設け、可動式分離板１５とタンク内壁との間をシールしている。
【００２１】
可動式分離板１５によって分離されたタンク内の各領域ＡＢにそれぞれ液１０２、水和物スラリ１０５を貯蔵する。そして、領域Ａに対して液１０２の受入口１９および払出口２１を設け、領域Ｂに対して水和物スラリ１０５の受入口２３および払出口２５を設けている。
【００２２】
ここで空調システム可動時の動作について説明する。
領域Ａ内に液１０２が貯蔵され、領域Ｂに水和物スラリは存在しない状態では可動式分離板１５はタンク上部に位置している。
この状態から夜間の安価な電力を用いてポンプ１０３、スラリ製造器１０４（図１参照）を起動して水和物スラリを製造する。すなわち、領域Ａの液払出口２１から払い出された液１０２はスラリ製造器１０４によって水和物スラリとなり、スラリ受入口２３から領域Ｂに受け入れられる。このとき、液払出量とスラリ受入量は等しく、領域Ａの液減少量と等量の水和物スラリが領域Ｂに蓄積されていく。領域Ａの液１０２が減少して領域Ｂの水和物スラリ１０５が増加するにしたがって可動式分離板１５は除々に降下し、液１０２が全て払い出された状態では、可動式分離板１５は最下位置になる。
このようにしてタンク５内は夜間に水和物スラリ１０５で満たされることになる。
【００２３】
タンク５に貯蔵された水和物スラリ１０５の冷熱を活用する昼間には、領域Ｂの水和物スラリをポンプ１０６によって空調器１０７（図１参照）に移送して熱交換する。熱交換により冷熱を奪われた水和物スラリは液になり、液受入口１９から領域Ａに受け入れられる。
このとき、図４に示すように、タンク５内に液１０２と水和物スラリ１０５が存在することになるが、これらは断熱性能の高い可動式分離板１５により仕切られているので、スラリ払出時に液部分から水道が形成されることはなく、また水和物スラリ１０５が融解することもない。
領域Ｂの水和物スラリ１０５がすべて払い出され、冷熱を奪われた液１０２が領域Ａに受入られるにしたがって可動式分離板１５は除々に上昇して、全ての水和物スラリ１０５が払い出されると最上位置である初期の状態に戻る。
【００２４】
以上のように、夜間のスラリ製造時、昼間のスラリ消費時において、タンク５内の液・スラリの総量は変化せず、タンク５内の液・スラリの比率が変化するだけである。したがって、上記のように領域Ａに液１０２、領域Ｂに水和物スラリ１０５を貯蔵する場合、水和物スラリ１０５と液１０２の密度がほぼ等しければ領域Ｂの液面レベルは変化しない。したがって、タンクの高さ、水和物スラリ払出口高さを適切に設計すれば、タンク上部から液が溢れ出すことはなく、水和物スラリ払出口２５が水和物スラリ液面より上側に出てしまうこともない。
また、タンク５を上下に分割することで、タンク５の容量を有効に活用することができる。
【００２５】
なお、可動式分離板１５が上下動の際に傾くのを防止するために、図５に示すように、タンク５内に上下に延びるガイドロッド２７を設け、可動式分離板１５をガイドさせるようにしてもよい。
また、可動式分離板１５の傾きを防止する他の手段として、図６に示すように、タンク上部に設置したワイヤ巻取装置２９に接続したワイヤ３１を可動式分離板１５の周縁部に固定し、可動式分離板１５が領域Ｂの液面とほぼ平行になるようにワイヤ長さを調節するようにしてもよい。
【００２６】
また、領域Ａの液１０２が微量になると、可動式分離板１５が最下位置に移動して液受入口・払出口１９，２１が可動式分離板１５によって閉塞することが考えられる。そこで、図７に示すように、液受入口・払出口１９，２１の上方に複数の棒材３３の上端に板材３５を設置した閉塞防止手段３７を設け、可動式分離板１５が閉塞防止手段３７の板材３５の位置よりも下降できなくなるようにしてもよい。
【００２７】
ところで、タンク５の底に閉塞防止手段３７を設けると、可動式分離板１５が閉塞防止手段３７に当接した位置よりも下降できなくなるため、タンクの内容積の有効利用が妨げられる。
そこで、図８に示すように、可動式分離板１５における閉塞防止手段３７と当接する中央部に開口部を設け、該開口部にフレキシブルなシート３９を余裕をもって設置するようにしてもよい。これによって、可動式分離板１５が下降した際に、シート３９が閉塞防止手段３７に当接した後も、シート３９の余裕の分だけ可動式分離板１５が下降できる。これによって、タンク５の内容積をより有効に活用できる。
なお、この閉塞防止手段３７は可動式分離板１５側に設けるようにしてもよい。また、特に、閉塞防止手段３７のようなものを設けずに、領域Ａに液１０２を少量残すような運用をしてもよい。
【００２８】
実施の形態５．
水和物スラリの粘度が極めて高い場合に上方から吸い出すような方法では、図９に示すように、安息角が大きくなり、水和物スラリ１０５を払い出せなくなる場合がある。したがって、このような粘度が極めて高い水和物スラリ１０５は下から払出すようにする。
【００２９】
この場合、図１０に示すように、可動式分離板４１を安息角以上の傾斜を有するホッパ状にすると共に、その中央部に水和物スラリ１０５の払出口２５を設けるようにする。
このようにすることで、粘度の高い水和物スラリを効果的に払出すことができる。
また、図１１に示すように、ホッパの傾斜角を可変式にして、水和物スラリの量が少ない場合には傾斜が大きくなるようにしてもよい。これによって、より効果的な水和物スラリの払い出しが可能となる。
【００３０】
なお、ホッパ形状は図１０、図１１に示した円錐形の他に、図１２に示すような角錐台の頭を切ったような形状のもので、頭の一端側に傾斜するような形状のものでもよい。
【００３１】
ホッパ形状の傾斜角を大きくすると、領域Ａにおける傾斜部の下方の部分が常に空領域となり、領域Ａに液１０２が存在しない場合にも空間として存在しているためにタンク５の効率的な使用が妨げられることになる。
そこで、このような場合には、図１３に示すように、ホッパ形状を複数設けて各ホッパ形状に水和物スラリの払出口２５をそれぞれ設けるようにしてもよい。これによって、タンク５の効率的な使用を確保しつつ粘度の高い水和物スラリを効果的に払出すことができる。
【００３２】
なお、ホッパの形状は特定ものに制限されるものではなく、またホッパを形成する材料についても硬質でもフレキシブル質でもよい。
【００３３】
実施の形態６．
図１４は本発明の実施の形態６の説明図である。この実施の形態６においては、図１４に示すように、タンク５の内部に別の内タンク４３を設け、内部に設けた内タンク４３をスラリ用として、タンク５を液用として用いるようにしたものである。そして、液タンクとなるタンク５には液受入ロ１９および払出口２１を、スラリタンクとなる内タンク４３にスラリ受入口２３および払出口２５をそれぞれ設けている。
【００３４】
このように、タンクを２重構造にすることによって、タンク内を分離した上記の実施の形態と同様に、水和物スラリ１０５の液１０２による融解の防止、及び水路の形成による水和物スラリの払い出しが困難になるという問題の発生を防止できる。
【００３５】
実施の形態７．
上記の実施の形態６のように、タンク５の中に剛体のタンク４３を挿入した２重構造にすると、各タンクで液又は水和物スラリを全量貯蔵できるようにする必要があることから、タンク５，４３の容積が大きくなるという問題がある。
そこで、タンクの内容積の有効活用するために本実施の形態７においては、図１５に示すように、タンク５内にフレキシブルな袋状容器４５を設け、袋状容器４５の周縁部をタンク上部に固定し、袋状容器４５によって分離された内部の領域Ｂ、及びタンク５内であって袋状容器４５の外側の領域Ｂをそれぞれ大気開放させ、さらに領域Ａ及びＢに液あるいはスラリの受入口１９，２３および払出口２１，２５をそれぞれ設けたものである。
【００３６】
フレキシブルな袋状容器４５は、断熱性が高く不透水性の材質で形成している。これによって、水和物スラリ１０５の液１０２による融解の防止、及び水路の形成による水和物スラリの払い出しが困難になるという問題の発生を防止できる。
【００３７】
本実施の形態の具体的な動作について説明する。
領域Ａに液１０２のみが貯蔵されている状態においては、袋状容器４５は収縮して領域Ｂの容積は微小になっている。
この状態から夜間の安価な電力を用いてポンプ１０３、スラリ製造器１０４（図１参照）を起動して水和物スラリを製造する。すなわち、領域Ａの液払出口２１から払い出された液１０２はスラリ製造器１０４によって水和物スラリとなり、スラリ受入口２３から領域Ｂに受け入れられる。このとき、液払出量とスラリ受入量は等しく、領域Ａの液減少量と等量の水和物スラリが領域Ｂに蓄積されていく。領域Ａの液１０２が減少して領域Ｂの水和物スラリ１０５が増加するにしたがって袋状容器４５は除々に膨らんでゆき、液１０２が全て払い出された状態では、袋状容器４５は最も膨らんだ状態になって、タンク５内を満たすことになる。
このようにして夜間にタンク５内の袋状容器４５は水和物スラリ１０５で満たされることになる。
【００３８】
袋状容器４５に貯蔵された水和物スラリ１０５の冷熱を活用する昼間においては、領域Ｂの水和物スラリをポンプ１０６によって空調器１０７（図１参照）に移送して熱交換する。熱交換により冷熱を奪われた水和物スラリは液となり、液受入口１９から領域Ａに受け入れられる。
このとき、図１５に示すように、タンク５内に液１０２と水和物スラリ１０５が存在することになるが、これらは断熱性能の高い袋状容器４５により仕切られているので、スラリ払出時に液部分から水道が形成されることはなく、また水和物スラリ１０５が融解することもない。
領域Ｂの水和物スラリ１０５がすべて払い出され、冷熱を奪われた液１０２が領域Ａに受入られるにしたがって袋状容器４５は除々に萎んでゆき、全ての水和物スラリ１０５が払い出されると最も萎んだ初期の状態に戻る。
【００３９】
以上の一連の状態において、袋状容器４５には領域Ａの液１０２と領域Ｂの水和物スラリ１０５の圧力ヘッドが作用する。したがって、容器収縮に必要な力が無視できるほど小さく、水和物スラリ１０５と液１０２の密度差が微小であれば、領域ＡＢの液面レベルはほぼ等しくなり、貯蔵タンク容量を有効に活用することができる。
また、液１０２や水和物スラリ１０５を受け入れる際、エアが混入する可能性があるが、領域ＡＢはともに大気に開放されているため、タンク５及び袋状容器４５内にエア溜りが形成されることはなく、エア溜りによる容積の有効利用が妨げられることもない。
【００４０】
また、袋状容器４５の底部に、図１６に示すように、底板４７を設け、この底板４７が上下に可動できるようにしてもよい。こうすることによって、袋状容器４５が一定の形状を保って膨張収縮できるので、袋状容器４５内の水和物スラリ１０５を確実に払い出すことができる。
なお、上下動の際に底板４７が傾くのを防止するために、図１７に示すように、タンク５内に上下に延びるガイドロッド４９を設け、底板４７の上下動の際にガイドさせるようにして底板４７が傾くのを防止するようにしてもよい。
また、あるいは図１８に示すように、タンク５内に上下に延びるガイドレール５１を設けると共に、底板４７の周面にガイドローラ５３を設け、上下動の際にガイドレール５１上をガイドローラ５３が移動するようにしてもよい。
【００４１】
底板４７の傾きを防止する他の手段として、図１９に示すように、タンク上部に設置したワイヤ巻取装置５５に接続したワイヤ４９を底板１５の周縁部に固定し、底板４７がタンク５の底面とほぼ平行になるようにワイヤ長さを調節するようにしてもよい。
【００４２】
また、領域Ａの液１０２が微量になると、底板４７が最下位置に移動して液受入口・払出口１９，２１が底板４７によって閉塞することが考えられるが、この場合には図７で示した閉塞防止手段３７を設けるようにすればよい。
【００４３】
実施の形態８．
水和物スラリの粘度が極めて高い場合に上方から吸い出すような方法では、図２０に示すように、安息角が大きくなり、水和物スラリ１０５を払出せなくなる場合がある。したがって、このような粘度が極めて高い水和物スラリ１０５は下から払出すようにする。
【００４４】
この場合、図２１に示すように、袋状容器４５の底部５９を安息角以上の傾斜を有するホッパ状にすると共に、その中央部に水和物スラリ１０５の払出口２５を設けるようにする。
このようにすることで、粘度の高い水和物スラリを効果的に払出すことができる。
【００４５】
また、図２２に示すように、ホッパ状の底部５９の払出口２５をフレキシブルな配管６０にすると共にホッパの傾斜角を可変式にして、水和物スラリの量が少ない場合には傾斜が大きくなるようにしてもよい。これによって、より効果的な水和物スラリの払い出しが可能となる。
なお、ホッパ形状としては、前述した図１１、図１２に示したものを使用することができる。
【００４６】
ところで、ホッパ形状の傾斜角を大きくすると、領域Ａにおける傾斜部の下方の部分が常に空領域となり、領域Ａに液１０２が存在しない場合にも空間として存在しているためにタンク５の効率的な使用が妨げられることになる。
そこで、このような場合には、図２３に示すように、ホッパ形状を複数設けて各ホッパ形状に水和物スラリの払出口２５をそれぞれ設けるようにしてもよい。これによって、タンク５の効率的な使用を確保しつつ粘度の高い水和物スラリを効果的に払出すことができる。
【００４７】
実施の形態９．
図２４は実施の形態９の説明図である。この実施の形態９においては、袋状容器４５の開口部をタンク５の側壁に固定して、袋状容器４５がタンク５の幅方向に膨張・収縮するようにしたものである。なお、この場合にも、袋状容器４５の上面に大気開放穴４５ａを設けている。
この実施の形態９においては、タンク５の下部であって袋状容器４５の内部に通ずる位置に水和物スラリの払出口２３、受入口２５を設けることができる。したがって、袋状容器４５の上部から水和物スラリを吸い上げて払い出す場合に比較してより確実な払い出しができる。
【００４８】
なお、図２５に示すように、袋状容器４５の側面部に側板６１を設け、タンク５の上下部に横方向に設けたガイドロッド６３によって側板６１をガイドするようにしてもよい。
これによって、袋状容器４５の膨張・収縮をスムーズに行うことができる。
【００４９】
なお、上記の実施の形態に示したタンク５の形状は直方体、円筒形、円錐形など様々なものが考えられ、適宜変更可能である。また、袋状容器４５の形状について、上記の例では蛇腹状のものを示したがこれに限られず適宜変更可能である。
【産業上の利用可能性】
【００５０】
本発明は以上であるから、液と水和物スラリが接触することがなく水和物スラリの融解が防止でき、また、液と水和物スラリの粘度の違いに起因する水路の形成を防止して水和物スラリの円滑な払い出しを実現するから、各種水和物スラリの払出し方法、および各種水和物スラリを払出す際の水道発生防止方法、並びに、水和物スラリを貯蔵する貯蔵タンクとして広く利用することができる。
【図面の簡単な説明】
【００５１】
【図１】本発明の実施の形態１の説明図である。
【図２】本発明の実施の形態２の説明図である。
【図３】本発明の実施の形態３の説明図である。
【図４】本発明の実施の形態４の説明図である。
【図５】本発明の実施の形態４の他の態様の説明図である。
【図６】本発明の実施の形態４の他の態様の説明図である。
【図７】本発明の実施の形態４の他の態様の説明図である。
【図８】本発明の実施の形態４の他の態様の説明図である。
【図９】本発明の実施の形態５の解決すべき課題の説明図である。
【図１０】本発明の実施の形態５の説明図である。
【図１１】本発明の実施の形態５の他の態様の説明図である。
【図１２】本発明の実施の形態５の他の態様の説明図である。
【図１３】本発明の実施の形態５の他の態様の説明図である。
【図１４】本発明の実施の形態６の説明図である。
【図１５】本発明の実施の形態７の説明図である。
【図１６】本発明の実施の形態７の他の態様の説明図である。
【図１７】本発明の実施の形態７の他の態様の説明図である。
【図１８】本発明の実施の形態７の他の態様の説明図である。
【図１９】本発明の実施の形態７の他の態様の説明図である。
【図２０】本発明の実施の形態８の解決すべき課題の説明図である。
【図２１】本発明の実施の形態８の説明図である。
【図２２】本発明の実施の形態８の他の態様の説明図である。
【図２３】本発明の実施の形態８の他の態様の説明図である。
【図２４】本発明の実施の形態９の説明図である。
【図２５】本発明の実施の形態９の他の態様の説明図である。
【図２６】従来例の説明図である。
【図２７】従来例の課題の説明図である。
【符号の説明】
【００５２】
１  液タンク
３  スラリタンク
５  タンク
７  隔壁（隔膜）
９，１５，４１  可動式分離板
４３  内タンク
４５  袋状容器
４７  底板
５９  底部
【図１】
2007051867.tif 000003
【図２】
2007051867.tif 000004
【図３】
2007051867.tif 000005
【図４】
2007051867.tif 000006
【図５】
2007051867.tif 000007
【図６】
2007051867.tif 000008
【図７】
2007051867.tif 000009
【図８】
2007051867.tif 000010
【図９】
2007051867.tif 000011
【図１０】
2007051867.tif 000012
【図１１】
2007051867.tif 000013
【図１２】
2007051867.tif 000014
【図１３】
2007051867.tif 000015
【図１４】
2007051867.tif 000016
【図１５】
2007051867.tif 000017
【図１６】
2007051867.tif 000018
【図１７】
2007051867.tif 000019
【図１８】
2007051867.tif 000020
【図１９】
2007051867.tif 000021
【図２０】
2007051867.tif 000022
【図２１】
2007051867.tif 000023
【図２２】
2007051867.tif 000024
【図２３】
2007051867.tif 000025
【図２４】
2007051867.tif 000026
【図２５】
2007051867.tif 000027
【図２６】
2007051867.tif 000028
【図２７】
2007051867.tif 000029